(57)【特許請求の範囲】
【請求項１】
ＩＣタグ、およびそのＩＣタグに対しアンテナを介して呼出波を送信しＩＣタグからの反射波を受信する監視装置からなる不正監視ユニットであって、
前記監視装置が、長手方向に沿ってリード線を折返し状に敷設した長尺なベルト部材と、前記アンテナを収納するとともに前記ベルト部材の基端を固着した状態でベルト部材の先端を係着可能なハウジングと、前記アンテナと接続された監視制御装置とからなるものであり、
前記アンテナに、レジスタを直列に接続するためのレジスタ接続部が設けられているとともに、
前記ベルト部材が、前記リード線を敷設したバンドインナーと、前記リード線を覆った状態で前記バンドインナーを挿入可能な凹状部を有するバンドカバーとからなり、
さらに、前記バンドカバーの一端側に、前記凹状部へ前記バンドインナーを挿入させた状態で、前記バンドインナーの一端と共に前記ハウジングへ固着する固着部を設ける一方、他端側に前記ハウジングへ係着するための係着部を設けたことを特徴とする不正監視ユニット。
【請求項２】
所定の動作を行う機器の動作内容を制御するための制御素子が、収納ケースによって外部と遮断された状態で収納された制御装置であって、
請求項１に記載の不正監視ユニットが、ＩＣタグを前記収納ケースに取り付けるとともに、ベルト部材を収納ケースの外周に弛みなく捲回させ、ベルト部材の先端をハウジングに係着させた状態で装着されており、
装着された不正監視ユニットのハウジングに収納されたアンテナが、ＩＣタグとの間で、ＲＦ通信可能になっていることを特徴とする制御装置。
【請求項３】
請求項２に記載の制御装置を備えたことを特徴とする遊技機。
【発明の詳細な説明】
【技術分野】
【０００１】
本発明は、パチンコ機、スロットマシーン等の遊技機をはじめとする各種の機器に用いる制御装置に関するものであり、詳しくは、不正行為を効果的に防止することが可能な遊技機用の制御装置に関するものである。
【背景技術】
【０００２】
パチンコ機用の制御装置として、動作内容を制御するＬＳＩやＲＯＭ等の制御素子を分割式の収納ケースで覆ったものが知られている。かかる制御装置においては、収納ケースを開放しＬＳＩやＲＯＭ等の制御素子を偽造されたものにすり替える不正行為が行われることがある。それゆえ、そのような不正行為を防止可能な制御装置として、固有の識別情報を記憶したＩＣタグを収納ケースの表面に貼着するとともに、ＩＤ読取装置をＩＣタグの近傍に設置し、そのＩＤ読取装置によってＩＣタグの識別情報を一定の周期毎に読み取る（確認する）ようにしたものが考案されている（たとえば、特許文献１参照）。
【０００３】
【特許文献１】特開２０００−２８８２１８号公報
【０００４】
ところが、特許文献１に開示された制御装置は、ＩＤ読取装置を自由に移動させることができるため、そのＩＤ読取装置とＩＣタグとの相対位置を変化させることなく収納ケースを開閉することができるので、収納ケースが開放されて、ＬＳＩやＲＯＭ等の制御素子がすり替えられてしまう虞れがある。
【０００５】
それゆえ、出願人らは、ＩＣタグとそのＩＣの情報を読み取る装置との相対位置を変化させることなくＩＣタグが取り外されてしまう事態を防止すべく、ＩＣタグを分割式収納ケースの片方に貼着し、剥がされると自己破壊して信号の送受信をする機能を果たさなくなるアンテナ（ＩＣタグと無線による送受信を行うアンテナ）を、分割式収納ケースのすべてのパーツに跨がってＩＣタグを覆うように貼着してなる制御装置を発明した（特願２００２−３４６３８５）。
【０００６】
また、出願人らは、ＩＣタグを分割式収納ケースの片方に貼着し、そのＩＣタグと送受信可能なアンテナ（ＩＣタグと無線による送受信を行うアンテナ）の配線を敷設したベルト部材を制御装置の分割式収納ケースに捲回させる技術について提案した（特願２００３−３１１８８４）。
【発明の開示】
【発明が解決しようとする課題】
【０００７】
しかしながら、特願２００２−３４６３８５に係る制御装置は、内蔵された基板の修理・メンテナンスや制御素子のチェックのために収納ケースを開放する場合に、アンテナを剥がさなければならない。また、剥がすとアンテナが自己破壊してしまうため、基板の修理・メンテナンスや制御素子のチェックの後には、新しいアンテナを貼着し、配線をし直さなければならない。それゆえ、基板の修理・メンテナンスや制御素子のチェックの作業が煩わしかった。
【０００８】
一方、特願２００３−３１１８８４の方法によれば、制御装置の分割式収納ケースに捲回されたアンテナの配線を切断しなければ、分割式収納ケースを開放することができず、アンテナの配線を切断するとＩＣタグとアンテナとの通信が遮断されるため、制御装置に対する不正行為を非常に効率的に監視することが可能となる。しかしながら、特願２００３−３１１８８４の技術においては、分割式の収納ケースに捲回されたベルト部材に折返し状に敷設されたアンテナの配線を基端の部分で分岐させて接続させることにより（すなわち、ショートカットすることにより）、ＩＣタグとアンテナとの正常な通信状態を維持したまま、分割式の収納ケースを開放して、ＬＳＩやＲＯＭ等の制御素子をすり替える不正行為（すなわち、ジャンパー行為）を防止することができない、という不具合がある。
【０００９】
本発明の目的は、上記従来の制御装置が有する問題点を解消し、制御装置等の収納ケースを開放して制御素子をすり替える不正を効果的に防止することができる上、ジャンパー行為をも防止することができる不正監視ユニットを提供することにある。
【課題を解決するための手段】
【００１０】
かかる本発明の内、請求項１に記載された発明の構成は、ＩＣタグ、およびそのＩＣタグに対しアンテナを介して呼出波を送信しＩＣタグからの反射波を受信する監視装置からなる不正監視ユニットであって、前記監視装置が、長手方向に沿ってリード線を折返し状に敷設した長尺なベルト部材と、前記アンテナを収納するとともに前記ベルト部材の基端を固着した状態でベルト部材の先端を係着可能なハウジングと、前記アンテナと接続された監視制御装置とからなるものであり、前記アンテナに、レジスタを直列に接続するためのレジスタ接続部が設けられているとともに、前記ベルト部材が、前記リード線を敷設したバンドインナーと、前記リード線を覆った状態で前記バンドインナーを挿入可能な凹状部を有するバンドカバーとからなり、さらに、前記バンドカバーの一端側に、前記凹状部へ前記バンドインナーを挿入させた状態で、前記バンドインナーの一端と共に前記ハウジングへ固着する固着部を設ける一方、他端側に前記ハウジングへ係着するための係着部を設けたことにある。
【００１１】
請求項２に記載された発明の構成は、所定の動作を行う機器の動作内容を制御するための制御素子が、収納ケースによって外部と遮断された状態で収納された制御装置であって、請求項１に記載の不正監視ユニットが、ＩＣタグを前記収納ケースに取り付けるとともに、ベルト部材を収納ケースの外周に弛みなく捲回させ、ベルト部材の先端をハウジングに係着させた状態で装着されており、装着された不正監視ユニットのハウジングに収納されたアンテナが、ＩＣタグとの間で、ＲＦ通信可能になっていることにある。
【００１２】
請求項３に記載された発明の構成は、請求項４に記載の制御装置を備えたことを特徴とする遊技機にある。
【発明の効果】
【００１３】
請求項１に記載された不正監視ユニットによれば、ＩＣタグを制御装置の収納ケースに固着し、そのＩＣタグとアンテナとが対峙するように（非接触式のＩＤ通信をすることができるように）ベルト部材を制御装置の収納ケースに捲回させるだけで、制御装置の不正開放を監視することが可能となる。また、すでに遊技ホールに設置されている遊技機の制御装置や、各メーカーによって製造される異なるタイプの制御装置等にも非常に容易に取り付けることができる。加えて、アンテナにレジスタ接続部が設けられているので、そのレジスタ接続部に所定の抵抗値のレジスタ（電気抵抗）を設置することにより、常時、アンテナから監視制御装置へ信号を伝達させ得る最小限の電流が流れるように調整しておけば、アンテナの配線を分岐させた場合に、アンテナと監視制御装置との信号の伝達が不可能となり、異常事態を感知することができる。それゆえ、ジャンパーした上で収納ケースを開放する不正行為を効果的に防止することができる。
【００１４】
請求項２に記載された制御装置は、収納ケースが不正に開放された場合（すなわち、不正監視ユニットが剥ぎ取られた場合）には、ＩＣタグとアンテナとが送受信不能となり、不正に開放された事態を直ちに（リアルタイムで）検知することができる。したがって、ＬＳＩ等の制御素子の不正取り替え、不正改造等の不正行為を、効果的に防止することができる。
【００１５】
請求項３に記載された遊技機は、制御装置の収納ケースが不正に開放された場合には、ＩＣタグとアンテナとによって、直ちにその事態を検知することができるので、ＬＳＩ等の制御素子の不正取り替え、不正改造等の不正行為を、効果的に防止することができる。
【発明を実施するための最良の形態】
【００１６】
以下、本発明に係る不正監視ユニット、制御装置、および遊技機について、図面に基づき、次の目次の順序にしたがって、詳細に説明する。
１．実施例の制御装置の概要
２．実施例の制御装置の構造
３．実施例の制御装置の特徴部分の説明
４．実施例の制御装置の使用態様
５．実施例の制御装置を設置したパチンコ機の動作内容
６．実施例の不正監視ユニット、制御装置、および遊技機の効果
７．本発明の変更例の説明
【００１７】
１．実施例の制御装置の概要
本発明に係る制御装置は、収納ケースに、ＩＣタグと、アンテナを収納したハウジング等とからなる監視ユニットが設置されている。そして、アンテナと接続された監視制御装置であるＲ／Ｗユニットからの指令に基づいて、ＩＣタグとアンテナとが、無線通信を定期的に繰り返すことによって、収納ケースの状態（不正開閉の有無等）を常時監視するようになっている。そして、ＩＣタグとアンテナとの無線通信が途切れた場合には、所定の信号を外部に出力し、収納ケースが不正に開放された可能性があることを報知するようになっている。
【００１８】
また、アンテナをＩＣタグと対峙した位置に保持するために収納ケースの外周に捲回されたベルト部材には、アンテナの送受信回路と接続されたリード線が、ベルト部材の基端から先端まで至り先端で折り返されて基端まで至るように略Ｕ字状に敷設されており、ベルト部材が切断されると、ＩＣタグとアンテナとの無線通信が途切れて、所定の信号を外部に出力し、収納ケースが不正に開放された可能性があることを報知するようになっている。
【００１９】
さらに、監視ユニットにおいては、アンテナにレジスタ（電気抵抗）を設置するためのレジスタ接続部が設けられており、そのレジスタ接続部に設置するレジスタの種類（抵抗値）を変化させることにより、アンテナからＲ／Ｗユニットに流れる電流値を調整することができる。それゆえ、常時、アンテナから監視制御装置へ信号を伝達させ得る最小限の電流が流れるように調整しておくことにより、不正にアンテナの配線が分岐された場合に、アンテナと監視制御装置との信号の伝達が不可能となるため、異常事態を感知することができる。したがって、アンテナの配線を分岐させた上で収納ケースを開放する不正行為を効果的に防止することができる。
【００２０】
２．実施例の制御装置の構造
図１、図２は、それぞれ、本発明に係る制御装置の正面図、斜視図であり、制御装置１は、各種の制御素子を搭載した基板２、その基板２を覆うための上ケース３と下ケース４とからなる分割式の収納ケースＣ、ＩＣタグ２６、アンテナ３２を内蔵した監視ユニット７４等によって構成されている。
【００２１】
図３は、収納ケースＣを開放して基板２を取り外した状態を示したものであり、上ケース３は、透明な合成樹脂（アクリル樹脂等）によって開口した箱状に形成されており、長方形状のフロントパネル５の周囲が、略直角に後方に折り返された状態になっている。フロントパネル５の右側の折返し部６の後端縁際には、３個の縦長な係止孔７，７・・が等間隔で穿設されている。また、フロントパネル５の左側の折返し部８には、２個の係合翼９ａ，９ｂが設けられている。さらに、上側の係合翼９ａの上端、および、下側の係合翼９ｂの下端には、それぞれ、係合孔１２が穿設されている。また、フロントパネル５の上端際には、コネクタ挿通窓１４が設けられている。
【００２２】
また、下ケース４は、透明な合成樹脂（アクリル樹脂等）によって扁平な直方体状に形成されている。そして、長方形状の基板支持板１６の表面に、補強用のリブ１７，１７・・が格子状に立設されており、基板支持板１６の周囲が略直角に後方に折り返された状態になっている。また、下ケース４の右端縁際には、後述する効果音制御装置５６を覆うように中空状の音基板カバー１９が設けられており、その音基板カバー１９の内側面には、嵌合突起２０，２０・・が突設されている。さらに、左側の折返し部２１には、２個の支持翼２２ａ，２２ｂが連設されている。加えて、上側の支持翼２２ａの上端、および、下側の支持翼２２ｂの下端には、それぞれ、先端を矢尻状に形成した係合体２４，２４が突設されている。
【００２３】
一方、基板２は、縦長な長方形に形成されており、中央部分の表面に、パチンコ機１の動作内容を制御するためのＬＳＩ２５等の各種の制御素子が搭載されている。なお、ＬＳＩ２５は、各種の演算処理を行うＣＰＵ、データやプログラム等を一時的に記憶するＲＡＭ、各種のデータや制御プログラム等を記憶したＲＯＭ等を一体にモールディングしたものである。また、基板２の上端際には、各種の装置に接続するためのコネクタ１３，１３・・が設置されている。かかる基板２は、リブ１７，１７・・に支えられた状態で、下ケース４に螺着されている。
【００２４】
制御装置１は、下ケース４に螺着された基板２上のコネクタ１３，１３・・を、上ケース３のコネクタ挿通窓１４に挿通させ、下ケース４の右側の音基板カバー１９の内側面に突設された嵌合突起２０，２０・・を、上ケース３の右側の折返し部６に穿設された係止孔７，７・・に嵌合させた状態で、下ケース４の左側の各支持翼２２ａ，２２ｂに突設された各係合体２４，２４を、上ケース３の左側の各係合翼９ａ，９ｂに穿設された各係合孔１２，１２に係止させることによって、下ケース４と上ケース３とが一体になっており、下ケース４と上ケース３とで基板２を覆い、基板２と外部とを遮断した状態になっている。
【００２５】
３．実施例の制御装置の特徴部分の説明
図３の如く、上ケース３のフロントパネル５の表面には、扁平な長方形状のＩＣタグ２６が接着剤等によって強固に接着されている。図４は、ＩＣタグ２６の外観を示したものであり、図５は、ＩＣタグ２６の制御機構を示したものである。ＩＣタグ２６は、ガラスコンポジット基板２７の表面に、ＩＣチップ３０が設置されているとともに、送受信回路３１が形成されている。ＩＣチップ３０は、呼出波に応答して反射波を放出するＲＦ回路２８と、不揮発性の記憶手段であるＥＥＰＲＯＭ２９等とを一体にしたものであり、ＥＥＰＲＯＭ２９と接続されたＲＦ回路２８が、送受信回路３１に接続された状態になっている。また、ＥＥＰＲＯＭ２９の上書消去禁止区域には、ＩＣタグ２６を他のＩＣタグと識別するためのＩＤコード等の識別情報が記憶されている。
【００２６】
かかるＩＣタグ２６は、所定のアンテナとの間で、所定の周波数（ここでは、１３．５６ＭＨｚ）を利用して、ノイズの影響が比較的に少ないＲＦ送受信を行うことができ、呼出波を受信すると、予め登録された識別情報を含む反射波を、所定の通信範囲（約３ｍｍ）内に出力（返信）する。なお、反射波の返信は、ＥＥＰＲＯＭ２９からＩＤコード等の識別情報を読み出し、その識別情報を反射波に乗せてＲＦ回路２８から送信することによって行われる。また、ＩＣタグ２６は、所定波長の呼出波が送信されると、その呼出波を送受信回路３１が受信し、呼出波に含まれた搬送波成分をＲＦ回路２８で整流することによって直流電圧を得ることができるため、外部からの電源供給を受けることなく必要なときにいつでも反射波を返信することができる。また、呼出波に乗せて送信された特定のデータ（異常の履歴等）をＥＥＰＲＯＭ２９に記憶しておくこともできる。
【００２７】
一方、図６〜図９は、監視ユニット７４の背面図、前方斜視図、後方斜視図、断面図であり、監視ユニット７４は、ベルト部材であるバンドインナー１０５およびバンドカバー８０、アンテナ３２、ベース体７５とカバー７６とからなるハウジングＨ、インナーレール７７、インシュロック部材７８等によって構成されている。
【００２８】
バンドインナー１０５は、柔軟性を有する合成樹脂（ポリアミド、ポリ塩化ビニル等）によって長尺状（約９１ｃｍ）に一体成形されており、その基端には、固着孔１０８，１０８を穿設した接合部１０７が幅広に設けられている。また、バンドインナー１０５の表面には、長手方向に沿ってリード線１１０が敷設されており、バンドインナー１０５の略基端から先端まで達し先端で折り返されて基端まで達した長尺のＵ字状になっている。また、バンドインナー１０５のリード線１１０の２つの基端は、それぞれ、矩形の平板状の端子１０９ａ，１０９ｂとなっている。なお、バンドインナー１０５へのリード線１１０および端子１０９ａ，１０９ｂの敷設は、バンドカバー８０への銅を積層した後に、上記Ｕ字状の部分を残して他の部分をエッチングすることによってなされている。
【００２９】
また、バンドカバー８０も、バンドインナー１０５と同様に、柔軟性を有する合成樹脂（ポリアミド、ポリ塩化ビニル等）によって、一定幅の帯状のガイド部１１１の基端に幅広の固着部８２および接続部７９を延設した長尺状（約９２ｃｍ）に一体成形されている。ガイド部１１の裏面には、ガイドインナー１０５を嵌め込むための凹状部１１２が設けられており、その凹状部１１２の周囲には、凹状部１１２に嵌め込まれたガイドインナー１０５を支持するための係止片１１３，１１３が、上下で互い違いになるように等間隔に設置されている。そして、各係止片１１３，１１３の内面が、バンドインナー１０５の厚み分の距離を隔てて、凹状部１１２の底面と平行に対峙した状態になっている。一方、固着部８２の外側の端縁と接続部７９の内側の端縁との間には、段差が形成されており、固着部８２と接続部７９との接合部分には、インナー挿通孔１１６が穿設されている（図１０（ａ）参照）。また、固着部８２には固着孔８３，８３が穿設されており、接続部７９には挿通孔１００，１００が穿設されている。さらに、バンドカバー８０の表面の先端際の位置には、複数の縦長の係合リブ８４，８４・・が、所定間隔を隔てて平行に突設されている。
【００３０】
ベース体７５は、合成樹脂によって略正方形の板状に成形されている。そして、片端の裏面に、バンドカバー８０の固着部８２を固着させるための固着凹部８６が設けられており、その固着凹部８６の上端際および下端際には、挿通孔８７，８７が穿設されている。また、固着凹部８６の内側には、バンドカバー８０の接続部７９を固着させた状態でバンドカバー８０のリード線１１０とアンテナ３２とを接続させるための接続凹部８８が設けられており、その接続凹部８８の内側には、スリット１０３が設けられている。加えて、接続凹部８８の上端際および下端際には、ネジ孔８９，８９が穿設されている。
【００３１】
また、インシュロック部材７８は、合成樹脂によって直方体状に一体成形されており、左右の側面同士を貫通するように、バンド挿通孔９１が穿設されている。そして、図９の如く、バンド挿通孔９１の内部には、先端を鋸歯状に形成した係合突起１０１が設けられている。
【００３２】
一方、インナーレール７７は、合成樹脂によって平板状に一体成形されており、バンドカバー８０の先端部分を挿通させるためのガイド溝９２が左右を横断するように刻設されている。なお、ガイド溝９２は、片方の端縁が若干後方に入り込んでおり後方から前方へ滑らかにカーブした状態になっている。また、インナーレール７７の略中央には、インシュロック部材７８を固定するための固定凹部９３が設けられている。さらに、インナーレール７７の略中央の裏面には、上下に支持体９４，９４・・が突設されている。
【００３３】
カバー７６は、合成樹脂によって、周囲を後方に折り返した扁平な直方体の蓋状に一体成形されている。そして、左右の折返し部分の略中央には、バンドカバー８０を挿通させるための切り欠き９５，９６が設けられており、上側の折返し部分には、切り欠き１０２が設けられている。さらに、切り欠き９６の近傍には、ガイド突起９８が設けられており、端縁から内部にわたって後方から前方へ滑らかにカーブした状態になっている。なお、監視ユニット７４を組み付けた場合には、ガイド突起９８の表面とインナーレール７７のガイド溝９２の表面との間に、バンドカバー８０を挿通させるだけ間隙が形成されるようになっている。また、カバー７６の中央には、インシュロック部材７８を固定させるための固定凹部９７が設けられている。
【００３４】
また、図１１は、アンテナ３２の正面を示したものであり、アンテナ３２は、ガラスコンポジット（たとえば、ＣＥＭ３）からなる薄い板状の基板９０の表面に、送受信回路３５を渦巻き状に形成したものである。そして、送受信回路３５の両端縁は、端子３７ａ，３７ｂと接続されており、それらの端子３７ａ，３７ｂは、ケーブルに接続されている。端子１１４ａ，１１４ｂが設けられており、送受信回路３５は、それらの端子１１４ａ，１１４ｂとも接続された状態になっている。さらに、送受信回路３５の外側には、端子１１４ａ，１１４ｂが設けられており、送受信回路３５は、それらの端子１１４ａ，１１４ｂとも接続された状態になっている。加えて、各端子１１４ａ，１１４ｂの中央には、挿通孔９９が穿設されている。また、下側の端子１１４ｂには、リード線１１７ａが接続されている。
【００３５】
さらに、アンテナ３２の送受信回路３５の内側には、レジスタ接続部７０が設けられており、そのレジスタ接続部７０には、レジスタ７３を内蔵したレジスタユニット６８が設置されている。図１１（ｂ）はレジスタユニット６８を取り外した状態を示したものであり、レジスタ接続部７０には、平板状の端子７１ａ，７１ｂが設けられており、送受信回路３５は、それらの端子７１ａ，７１ｂとも接続された状態になっている。また、端子７１ａ，７１ｂの間には、係止長孔７２，７２が設けられている。
【００３６】
一方、図１２は、レジスタユニット６８を示したものである。レジスタユニット６８は、直方体状の合成樹脂製のケース６９にレジスタ７３を内蔵したものである。ケース６９の下面には、一対の平板状の端子１１８ａ，１１８ｂが設置されており、ケース６９の底面から露出した状態になっている。そして、内蔵されたレジスタ７３が、それらの端子１１８ａ，１１８ｂに接続されている。また、ケース６９の底面の端縁（端子１１８ａ，１１８ｂ同士の間）には、外向きの係止突起を設けた係止片５５，５５が底面から下向きに突出するように設けられている。かかるレジスタユニット６８は、アンテナ３２に穿設された係止長孔７２，７２に係止片５５，５５を係止させ、端子１１８ａ，１１８ｂをアンテナの端子７１ａ，７１ｂに当接させた状態で、アンテナ３２の基板９０の上に設置されている（図１１（ａ）参照）。
【００３７】
監視ユニット７４においては、図１０の如く、バンドインナー１０５のリード線１１０の敷設部分が、バンドカバー８０のインナー挿通孔１１６から凹状部１１２へ挿入されており、係止片１１３，１１３・・によって外れないように支持されている。そして、バンドインナー１０５のリード線１１０が、バンドカバー８０のガイド部１１１によってカバーされた状態になっている。また、そのようにバンドインナー１０５と一体となったバンドカバー８０の固着部８２および接続部７９が、それぞれ、ベース体７５の裏面の固着凹部８６、ベース体７５の接続凹部８８に嵌合した状態になっている。一方、アンテナ３２が、接続突片１０４をスリット１０３からベース体７５の接続凹部８８内に突出させ、送受信回路３５の敷設部分をベース体７５の表面に当接させた状態になっている。また、バンドカバー８０に挿入されたバンドインナー１０５の基端に設けられた平板状の端子１０９ａ，１０９ｂが、それぞれ、アンテナ３２の接続突片１０４に設けられた端子１１４ａ，１１４ｂと当接した状態（電気的に接続された状態）になっている。そして、挿通孔１００，１００およびアンテナ３２の挿通孔９９，９９を挿通したネジ８１，８１がネジ孔８９，８９に螺着されることによって、アンテナ３２とベース体７５とバンドカバー８０とバンドインナー１０５とが一体になっており、バンドカバーの接続部７９とベース体７５とによって、バンドインナー１０５の基端に設けられた平板状の端子１０９ａ，１０９ｂおよびアンテナ３２の接続突片１０４に設けられた端子１１４ａ，１１４ｂを挟み込んだ状態になっている。一方、アンテナ３２のケーブル３３が、カバー７６の上部に穿設された切り欠き１０２から外部に導出された状態になっている。
【００３８】
さらに、監視ユニット７４においては、カバー７６の固定凹部９７とインナーレール７７の固定凹部９３との間にインシュロック部材７８が嵌合した状態で、ベース体７５とカバー７６とが接着されている。そして、カバー７６とベース体７５との間にインシュロック部材７８とインナーレール７７とが挟み込まれており、インナーレール７７の裏面の支持体９４，９４・・がアンテナ３２の表面と当接した状態になっている。そして、その状態で、バンドカバー８０の固着孔８３，８３および挿通孔８７，８７を挿通したネジ８１、８１によって、バンドカバー８０とカバー７６とが螺着されている（図９参照）。
【００３９】
かかる監視ユニット７４は、一体となった収納ケースＣの周囲（支持翼２２ａと支持翼２２ｂの間の部分）にバンドカバー８０を捲回させ、バンドカバー８０の先端をカバー７６の切り欠き９６（インナーレール７７のガイド溝９２とガイド突起９８との間）に挿入し、インシュロック部材７８のバンド挿通孔９１を貫通させてから引き出し、バンドカバー８０と制御装置１との間の弛みをなくした状態で、収納ケースＣの外周に装着されている。なお、インシュロック部材７８のバンド挿通孔９１内には、図９の如く、先端が鋸歯状の係合突起１０１が設けられているため、バンドカバー８０の係合リブ８４の設置部分をインシュロック部材７８のバンド挿通孔９１内に挿入すると、バンド挿通孔９１内の係合突起１０１と係合リブ８４とが噛み合って、バンドカバー８０を挿入方向と反対方向に引き出すことができなくなる。また、収納ケースＣの外周に設置された監視ユニット７４においては、収納されたアンテナ３２が、上ケース３の外面に貼着されたＩＣタグ２６と対峙した状態になっている。
【００４０】
４．実施例の制御装置の使用態様
上記の如く構成された制御装置１は、パチンコ機等の遊技機に設置されて使用される。図１３、図１４は、制御装置１を設置したパチンコ機の正面、裏面を示したものであり、パチンコ機３６は、中央よりやや上側に遊技盤３９が設けられており、その遊技盤３９の表面には、ガイドレールで囲まれた略円形の遊技領域４１が設けられている。また、遊技盤３９の下側には、内蔵された発射装置に遊技球を供給するための供給皿４２が設けられており、その供給皿４２の下側には、供給皿４２から溢れた遊技球を貯留するための貯留皿４３が設けられている。さらに、供給皿４２と貯留皿４３との間には、効果音を発生させるスピーカ４４が設けられており、貯留皿４３の右側には、発射装置を操作するための発射ハンドル４５が設けられている。また、遊技領域４１の略中央には、図柄表示装置４６が設けられており、液晶画面４７に、種々の動画やメッセージ等を表示することができるようになっている。また、図柄表示装置４６の下側には、図柄始動口４８が設けられており、その図柄始動口４８の下方には、扉部材を開閉するアタッカ部材４９が設けられている。
【００４１】
一方、パチンコ機３６の裏面の左下方に、制御装置１が設けられており、その制御装置１の上側のセンターカバー５０の内部には、アンテナ３２を介してＩＣタグ２６と周期的な無線通信を実行することにより制御装置１の状態を監視するリーダ／ライタユニット（以下、Ｒ／Ｗユニットという）３８が設置されている。図１５は、Ｒ／Ｗユニット３８の制御機構を示したものであり、Ｒ／Ｗユニット３８は、ＣＰＵ５１、ＲＡＭ６３、ＲＯＭ６４、ＥＥＰＲＯＭ５２、タイマ５３、ＩＣタグ２６との間でＲＦ送受信を行うためのＲＦ回路５８等を有している。また、ＣＰＵ５１が、Ｉ／Ｏインタフェイス５９を介して、外部機器と接続されている。なお、Ｒ／Ｗユニット３８は、パチンコホールの営業時間においては、パチンコ機３６が設置される島設備から電源供給を受けることにより稼働し、パチンコホールの営業時間外においては、内蔵されたバッテリ（図示せず）が営業時間内に蓄えた電力によって稼働することにより、２４時間（一日中）稼働するようになっている。また、図１６は、監視ユニット７４とＲ／Ｗユニットとの接続状態を示す回路図であり、監視ユニット７４の外部に導出されたアンテナ３２のケーブル３３が、Ｒ／Ｗユニット３８のＲＦ回路５８に接続された状態になっている。
【００４２】
さらに、図１７に示すように、Ｒ／Ｗユニット３８の上側には、図柄表示装置４６の表示内容を制御するための図柄制御装置５４が設置されており、Ｒ／Ｗユニット３８の下側には、スピーカ４４から発生させる効果音の内容を制御するための効果音制御装置５６が設置されている。加えて、センターカバー５０の右側には、賞球時や貸球時に遊技球を払い出すための遊技球払出装置５７が設置されている。
【００４３】
また、図１６は、パチンコ機３６の制御機構を示したものであり、制御装置１は、基板２に搭載されたＬＳＩ２５が、Ｉ／Ｏインタフェイス６７を介して、図柄制御装置５４、効果音制御装置５６、各種の入賞装置への入賞を検出する入賞検出装置６６、アタッカ部材４９を作動させるための作動装置６５、遊技球払出装置５７等と接続されている。
【００４４】
５．実施例の制御装置を設置したパチンコ機の動作内容
パチンコ機３６は、制御装置１のＬＳＩ２５に記憶されたプログラムにしたがい、図柄制御装置５４、効果音制御装置５６、遊技球払出装置５７等と信号の送受信を行うことによって、主たる遊技動作を実行する。そして、発射ハンドル４５の回転操作によって遊技領域４１に打ち出された遊技球が図柄始動口４８に入賞すると、「抽選」を実行し、「大当たり」を生起させるか否かを決定する。また、「抽選」を実行すると略同時に、図柄表示装置４６に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示し、しかる後に、「大当たり状態」を生起させる。「大当たり状態」においては、アタッカ部材４９の扉部材を所定回数だけ断続的に開成させるとともに、各種の発光部材を所定の態様で発光させ、スピーカ４４から所定の効果音を発生させる。一方、各種の入賞装置に遊技球が入賞した場合には、遊技球払出装置５７が、所定数の遊技球を賞品球として供給皿４２に払い出す。
【００４５】
また、パチンコ機３６は、制御装置１の状態を監視するために、Ｒ／Ｗユニット３８のＲＦ回路５８が、監視ユニット７４のアンテナ３２を介して、制御装置１のＩＣタグ２６に対して、所定の周波数（１３．５６ＭＨｚ）の呼出波を送信（ＲＦ送信）する。ＩＣタグ２６は、呼出波を受けると、直ちに、ＥＥＰＲＯＭ２９内から識別コードを呼び出し、その識別コードを含めた反射波を送信（ＲＦ送信）する。ＩＣタグ２６が反射波を送信すると、Ｒ／Ｗユニット３８は、監視ユニット７４内のアンテナ３２によって、その反射波を受信（ＲＦ受信）する。Ｒ／Ｗユニット３８は、反射波に含まれる識別コードが登録されたものであると確認すると、再度、直ちに呼出波を送信することにより、監視動作を、短時間（約数十ｍｓ）の周期で繰り返し実行する。
【００４６】
一方、Ｒ／Ｗユニット３８は、呼出波を送信してから所定時間（たとえば、５０ｍｓ）内に反射波を受信しなかった場合（すなわち、制御装置１が不正に開放された場合）に異常と判断し、異常を検知した旨をＥＥＰＲＯＭ５２に記憶するとともに、所定の異常検知信号を外部に出力して、パチンコホールの店員や管理者の注意を喚起する。
【００４７】
したがって、監視ユニット７４が無理矢理動かされて、アンテナ３２とＩＣタグ２６との距離が、アンテナ３２から出力される呼出波の出力範囲やＩＣタグ２６から出力される反射波の出力範囲を超えてしまった場合には、アンテナ３２およびＩＣタグ２６が、呼出波・反射波の送受信をすることができなくなるため、Ｒ／Ｗユニット３８は、異常を検知した旨をＥＥＰＲＯＭ５２に記憶するとともに、所定の異常検知信号を外部に出力する。
【００４８】
また、監視ユニット７４が剥ぎ取られたり、バンドカバー８０が切断されたりした場合（リード線１１０が切断された場合）も、Ｒ／Ｗユニット３８は、アンテナ３２を介してＩＣタグ２６と通信することができなくなるため、異常を検知した旨をＥＥＰＲＯＭ５２に記憶するとともに、所定の異常検知信号を外部に出力する。
【００４９】
さらに、レジスタ接続部７０に設置されたレジスタ７３の抵抗値は、ＩＣタグ２６とＲＦ通信し得る最小限の電流（たとえば、約５００ｍＡ）がアンテナ３２の送受信回路３５内を流れる程度の値に調整されている（たとえば、約５０Ω）。したがって、不正にアンテナ３２のリード線１１０，１１０の基端同士が分岐されて接続された場合（すなわち、ショートカットされた場合）には、接続された時点で、直ちに、アンテナ３２とＲ／Ｗユニット３８との信号の伝達が不可能となる。かかる場合にも、Ｒ／Ｗユニット３８は、異常を検知した旨をＥＥＰＲＯＭ５２に記憶するとともに、所定の異常検知信号を外部に出力する。
【００５０】
６．実施例の不正監視ユニット、制御装置、および遊技機の効果
実施例の不正監視ユニット（ＩＣタグ２６、監視ユニット７４、およびＲ／Ｗユニット３８）は、上記の如く、監視装置であるＲ／Ｗユニット３８が、長手方向に沿ってリード線１１０を敷設した長尺なベルト部材であるバンドカバー８０およびバンドインナー１０５と、アンテナ３２を備えるとともにバンドカバー８０の基端を固着した状態でバンドカバー８０の先端を係着可能なハウジングＨとを有しているため、ＩＣタグ２６を制御装置１の収納ケースＣに固着し、そのＩＣタグ２６とアンテナ３２とが対峙するようにバンドカバー８０を制御装置１の収納ケースＣに捲回させるだけで、制御装置１の不正開放を監視することが可能となる。また、すでにパチンコホールに設置されている遊技機の制御装置や、各メーカーによって製造される異なるタイプの制御装置等にも非常に容易に取り付けることができる。
【００５１】
さらに、アンテナ３２にレジスタ７３を設置するためのレジスタ接続部７０が設けられており、そのレジスタ接続部７０に所定の抵抗値のレジスタ７３を設置することにより、アンテナ３２からＲ／Ｗユニット３８へ信号を伝達させ得る最小限の電流が流れるように調整されているため、不正にアンテナ３２の配線（リード線１１０等）が分岐されて接続された場合（すなわち、ショートカットされた場合）には、直ちに、アンテナ３２とＲ／Ｗユニット３８との信号の伝達が不可能となり、速やかに異常事態を感知することができる。したがって、実施例の不正監視ユニットによれば、アンテナ３２の配線（リード線１１０等）をジャンパーした上で制御装置１の収納ケースＣを開放する不正行為を効果的に防止することができる。
【００５２】
一方、制御装置１は、上記の如く、不正監視ユニットが、ＩＣタグ２６を収納ケースＣに取り付けるとともに、ベルト部材であるバンドインナー１０５およびバンドカバー８０を収納ケースＣの外周に弛みなく捲回させ、係脱摘みである摘み９６の操作によりバンドカバー８０の先端をハウジングＨに係着させた状態で装着されており、装着された不正監視ユニットのハウジングＨに設置されたアンテナ３２が、ＩＣタグ２６との間で、非接触式のＩＤ通信をすることが可能な状態になっている（すなわち、無線通信可能な所定距離（約３．０ｍｍ以下）を隔ててＩＣタグ２６と対峙した状態になっている）ため、収納ケースＣが不正に開放された場合（すなわち、監視ユニット７４が剥ぎ取られたり、監視ユニット７４のバンドカバー８０が切断されたりした場合）には、ＩＣタグ２６とアンテナ３２とが送受信不能となり、不正に開放された事態を直ちに（リアルタイムで）検知することができる。したがって、ＬＳＩ２５等の制御素子の不正取り替え、不正改造等の不正行為を、効果的に防止することができる。
【００５３】
一方、パチンコ機１は、上記の如く、不正監視ユニットを装着した制御装置１を備えているので、制御装置１の収納ケースＣが不正に開放された場合には、ＩＣタグ２６とアンテナ３２とによって、直ちにその事態を検知することができるので、ＬＳＩ等の制御素子の不正取り替え、不正改造等の不正行為を、効果的に防止することができる。
【００５４】
７．本発明の変更例の説明
本発明の制御装置は、上記実施形態の態様に何ら限定されるものではなく、不正監視ユニット、ＩＣタグ、アンテナ、バンド（ベルト部材）、リード線、ハウジング、制御素子、収納ケースの材料、形状、構造等の構成を本発明の趣旨を逸脱しない範囲内で適宜変更することができる。
【００５５】
たとえば、制御装置は、上記実施形態の如く、ＩＣタグとアンテナとがきわめて短い距離（約３．０ｍｍ以下）を隔てて対峙するものに限定されず、ＩＣタグとアンテナとの距離を必要に応じて適宜変更することができる。なお、ＩＣタグの反射波の出力範囲（通信距離）は、コイルの巻き数の変更等によって、適宜調整することが可能である。
【００５６】
さらに、制御装置の収納ケースは、上記実施形態の如く、シンプルな係合機構のみを設けたものに限定されず、片方のケースの端縁に、ワンウェイタイプのネジを保持した切断可能な複数のネジ保持部を設ける（たとえば、小径の連結体を介して片方のケースの本体にネジ保持部が繋がった形状となるように、片方のケース、連結体、ネジ保持部を合成樹脂によって一体的に成形する）とともに、他方のケースの端縁に、ネジ保持部に保持されたネジを螺着させるネジ孔を形成したもの等に変更することも可能である。かかる構成を採用した場合には、収納ケースが不正に開放されると、収納ケースに不正に開放された痕跡が残り、目視によっても、その事態を速やかに把握することができるため、収納ケースの不正開放が一層困難なものとなる、というメリットがある。
【００５７】
また、制御装置は、１組のＩＣタグとアンテナとを設置したものに限定されず、２組以上のＩＣタグとアンテナとを設置したものでも良い。さらに、ＩＣタグを収納ケースの外側に取り付けたものに限定されず、収納ケースの内側面や基板上に取り付けたものでも良い。
【００５８】
さらに、ＩＣタグの設置方法は、上記実施形態の如く、接着剤による接着に限定されず、ＩＣタグを構成する樹脂を収納ケースに融着させる方法等の他の方法を採用することも可能である。なお、シート状のＩＣタグを、裏面に粘着剤を塗布したシールとするとともに、粘着剤層の表面に剥離紙を貼着しておき、設置する際に剥離紙を剥離して貼着するように構成すれば、ＩＣタグの設置が非常に容易になる、というメリットがある。
【００５９】
加えて、ＩＣタグは、剥離すると機能を果たさなくなる、いわゆる自己破壊タイプのものとすることも可能である。そして、そのように自己破壊タイプのものとする方法としては、基板の表面に積層する粘着剤層中に送受信回路を形成する方法や、剥離によって所定量以上の応力が加わると短絡するような回路をＩＣタグに設ける（内蔵させる）方法等を採用することができる。そのように構成した場合には、ＩＣタグが剥がされると直ちにアンテナと通信できなくなるため、監視装置による不正監視機能が一層信頼性の高いものとなる。
【００６０】
また、ＩＣタグは、他のＩＣタグと識別するためのＩＤコードのみならずメーカーＩＤやホールＩＤ等の識別情報をも記憶させたものに変更することも可能である。
【００６１】
また、不正監視ユニットを装着する制御装置は、上記実施形態の如く、遊技機の主たる遊技動作を制御するためのものに限定されず、遊技球の払出動作を制御するためのものや、複数の基板を統合して制御するためのもの等に変更することも可能である。
【００６２】
一方、Ｒ／Ｗユニットは、制御装置の定期的な監視のみを行うものに限定されず、テンキー等の入力手段が設けられており、所定の入力をすることによって、任意のタイミングで制御装置の監視を行うことができるものに変更することも可能である。なお、Ｒ／Ｗユニットを、上記実施形態の如く、ごく短時間の周期で常時定期的な監視を行うものとした場合には、不正行為が行われた事態をリアルタイムで把握することができる、というメリットがある。また、Ｒ／Ｗユニットは、異常を検知した旨を不揮発性の記憶手段であるＥＥＰＲＯＭに記憶するものに限定されず、通常のＲＡＭ、ハードディスク、光メディア等の記憶手段に記憶するもの等でも良い。さらに、Ｒ／Ｗユニットは、パチンコ機が設置される島設備から電源供給を受けるものに限定されず、パチンコ機から電源供給を受けるもの等でも良い。
【００６３】
また、Ｒ／Ｗユニットは、分割式の収納ケースで覆われた制御装置の監視を行うものに限定されず、片端縁が軸支された片開きタイプの収納ケースで覆われた制御装置を監視するものや、スイッチボックス等の制御装置とは異なる装置を監視するものに変更することも可能である。
【００６４】
また、Ｒ／Ｗユニットは、営業時間中には異常事態の報知のみを行い、パチンコ機が稼働していない夜間等には監視履歴情報をＥＥＰＲＯＭ等の記憶手段に記憶させるものに変更することも可能である。
【００６５】
さらに、Ｒ／Ｗユニットは、携帯端末（たとえば、ＰＤＡや携帯電話）等の外部の機器からの呼び出しに応じて、記憶手段に記憶させた監視履歴に関する情報を出力するものとすることも可能である。
【００６６】
一方、不正監視ユニットのベルト部材は、銅のエッチングによりリード線を敷設したものに限定されず、金属ペーストの単純な塗布等によりリード線を敷設したもの等でも良い。さらに、ベルト部材は、バンドカバーとバンドインナーとからなるものに限定されず、単一の部材からなるものでも良い。加えて、不正監視ユニットのベルト部材やハウジングを形成する樹脂の種類も、必要に応じて適宜変更することができる。
【００６７】
また、アンテナにレジスタを設置するための方法は、アンテナの基板に穿設した長孔を利用してユニット状のレジスタを係止させる方法に限定されず、接着する方法や半田付けする方法等を採用することも可能である。なお、上記実施形態の如く、ユニット状のレジスタを係止させる方法を採用した場合には、アンテナからＲ／Ｗユニットへ信号を伝達させ得る最小限の電流が流れるようにレジスタの種類（抵抗値）を非常に容易に変更すことができる、というメリットがある。さらに、レジスタ接続部に設置するレジスタの抵抗値は、アンテナの性能、Ｒ／Ｗユニットの性能、Ｒ／Ｗユニットを設置する環境等に応じて、適宜変更することができる。なお、アンテナの送受信回路内を１Ａを上回る電流が流れるようにレジスタの抵抗値を選択すると、ＩＣタグとＲＦ通信可能な範囲が広くなりすぎるので好ましくなく、反対に、アンテナの送受信回路内を０．１Ａを下回る電流が流れるようにレジスタの抵抗値を選択すると、ＩＣタグとＲＦ通信可能な範囲が狭くなりすぎるので好ましくない。したがって、レジスタの抵抗値は、５．０Ω以上５０Ω未満程度であることが好ましい。
【００６８】
加えて、上記実施形態においてはパチンコ機に用いられる制御装置について説明したが、本発明の制御装置が用いられる機器は、スロットマシーンやテレビゲーム等のパチンコ機以外の遊技機でも良いし、工作機械や産業用ロボット等の所定の動作を行う別の機器でも良い。また、本発明の不正監視ユニットを設置する制御装置も、遊技機の制御装置に限定されず、工作機械や産業用ロボット等の機器の制御装置でも良い。
【産業上の利用可能性】
【００６９】
本発明の不正監視ユニットは、パチンコ機、スロットマシーン等の各種の機器に搭載される制御装置の不正監視ユニットとして好適に用いることができる。また、本発明の制御装置は、パチンコ機、スロットマシーン等の各種の機器の制御装置として好適に用いることができる。さらに、本発明の遊技機は、パチンコ機、スロットマシーン等の遊技機として好適に利用することができる。
【図面の簡単な説明】
【００７０】
【図１】制御装置の正面図である。
【図２】制御装置の斜視図である。
【図３】収納ケースを開放し基板を取り外した状態を示す斜視図である。
【図４】ＩＣタグの正面図である。
【図５】ＩＣタグの制御機構を示すブロック図である。
【図６】監視ユニットの背面図である。
【図７】監視ユニットの分解斜視図（前方から見た分解斜視図）である。
【図８】監視ユニットの分解斜視図（後方から見た分解斜視図）である。
【図９】監視ユニットの断面図（図６におけるＤ−Ｄ線断面図）である。
【図１０】バンドカバーおよびバンドインナーを示す斜視図である（なお、（ａ）は、バンドカバーの前方斜視図であり、（ｂ）は、バンドインナーの一部をバンドカバーに挿入した状態の前方斜視図であり、（ｃ）は、バンドインナーをバンドカバーに挿入した状態の前方斜視図であり、（ｄ）は、バンドインナーをバンドカバーに挿入した状態の後方斜視図である）。
【図１１】アンテナの正面図である（なお、（ａ）は、レジスタユニットを設置した状態を示したものであり、（ｂ）は、レジスタユニットを取り外した状態を示したものである）。
【図１２】レジスタユニットの斜視図である。
【図１３】制御装置を設置したパチンコ機の正面図である。
【図１４】制御装置を設置したパチンコ機の裏面図である。
【図１５】Ｒ／Ｗユニットの制御機構を示すブロック図である。
【図１６】バンドとＲ／Ｗユニットとの接続状態を示す回路図である。
【図１７】パチンコ機の制御機構を示すブロック図である。
【符号の説明】
【００７１】
１・・制御装置、３・・上ケース、４・・下ケース、２５・・ＬＳＩ（制御素子）、２６・・ＩＣタグ、３２・・アンテナ、３６・・パチンコ機（遊技機）、３８・・Ｒ／Ｗユニット、６８・・レジスタユニット、７０・・レジスタ接続部、７３・・レジスタ、７４・・監視ユニット、８０・・バンド（ベルト部材）、１０５・・バンドインナー、１１０・・リード線、Ｈ・・ハウジング、Ｃ・・収納ケース。
【図１】
0004644865.tif 000002
【図２】
0004644865.tif 000003
【図３】
0004644865.tif 000004
【図４】
0004644865.tif 000005
【図５】
0004644865.tif 000006
【図６】
0004644865.tif 000007
【図７】
0004644865.tif 000008
【図８】
0004644865.tif 000009
【図９】
0004644865.tif 000010
【図１０】
0004644865.tif 000011
【図１１】
0004644865.tif 000012
【図１２】
0004644865.tif 000013
【図１３】
0004644865.tif 000014
【図１４】
0004644865.tif 000015
【図１５】
0004644865.tif 000016
【図１６】
0004644865.tif 000017
【図１７】
0004644865.tif 000018